(57)【要約】      （修正有）【課題】経年退色しないピンク色に見えるダイヤモンドの提供。【解決手段】ダイヤモンド裏側に油性塗料で着色した後、油性塗料に紫外線吸収剤を塗装し、さらに同色の油性塗料を塗装し、さらにまた、紫外線吸収剤で塗装することにより、紫外線から油性塗料を保護し退色防止する。必要に応じ、油性塗料と紫外線吸収剤から成る層を増やすことで、紫外線からの保護作用を高める。樹脂により着色部を覆うように密閉して、汗や水や空気から着色部を保護し退色防止する。【選択図】図１
0003133113.tif 000002
【実用新案登録請求の範囲】
【請求項１】
ダイヤモンド裏側に塗装された油性塗料と、その油性塗料に塗装された紫外線吸収剤と、その紫外線吸収剤に塗装された油性塗料と、その油性塗料に塗装された紫外線吸収剤と、その紫外線吸収剤を覆うように塗装された樹脂とで成したことを特徴とする油性塗料人工有色ダイヤモンドのコーティング方法。
【考案の詳細な説明】
【技術分野】
【０００１】  本考案は油性塗料人工有色ダイヤモンドの着色部保護を目的としたコーティング方法である。ダイヤモンド裏側に油性塗料で着色すると、ダイヤモンド表面からの外見が天然有色ダイヤモンドの様になる。しかし、油性塗料だけでは、紫外線、汗や水や空気が原因で油性塗料が退色してしまう。そこで、その油性塗料に紫外線吸収剤を塗装し、さらに同色の油性塗料を塗装し、さらにまた、紫外線吸収剤で塗装することにより、紫外線から油性塗料を保護するようにした。必要であれば、油性塗料と紫外線吸収剤から成る層を増やし、紫外線からの保護作用を高めることができる。樹脂で着色部を覆うように塗装することで着色部が密閉され、着色部は汗や水や空気から保護される。
【背景技術】
【０００２】  ダイヤモンド裏側に油性塗料で着色すると、ダイヤモンド表面からの外見が天然有色ダイヤモンドの様になるということは知られている。しかし、油性塗料だけでは、紫外線、汗や水や空気が原因で油性塗料が退色してしまう。
【考案の開示】
【考案が解決しようとする課題】
【０００３】  従来からの茶色と黄色以外の天然有色ダイヤモンドは、鉱山からほとんど採れない為に供給が極端に少ない。【０００４】  従来からの人工的に天然ダイヤモンドの色を変える主な方法は、茶色天然ダイヤモンドへ放射線照射して変色させる方法である。この方法では、ブルーは簡単に作れるが、ピンクなどの色を作るのは難しい。その為、ピンクなどの人工有色ダイヤモンドは、ほとんど供給されていない。【０００５】  従来からの人工的に天然ダイヤモンドの色を変える方法には、ダイヤモンドの裏側に油性塗料で塗装する方法がある。この方法では、紫外線、汗や水や空気が原因で油性塗料が退色してしまう。
【課題を解決するための手段】
【０００６】  ダイヤモンド裏側に油性塗料で着色すると、ダイヤモンド表面からの外見が天然有色ダイヤモンドの様になる。その油性塗料に紫外線吸収剤を塗装し、さらに同色の油性塗料を塗装し、さらにまた、紫外線吸収剤で塗装することにより、紫外線から油性塗料を保護するようにする。必要であれば、油性塗料と紫外線吸収剤から成る層を増やし、紫外線からの保護作用を高める。樹脂により着色部を密閉して、着色部を汗や水や空気から保護する。
【考案の効果】
【０００７】  本考案は、油性塗料と紫外線吸収剤と樹脂とで成したものであることから、十分に供給できる。ピンク、レッド、オレンジ、ミントグリーン、ライトグリーン、インディゴブルー、ブルー、バイオレット、イエローの９色の油性塗料を使用できるので、今までほとんど供給されていなかった色の人工有色ダイヤモンドを供給できる。従来からのダイヤモンドの裏側に油性塗料で塗装する方法では退色したが、油性塗料に紫外線吸収剤を塗装し、さらに同色の油性塗料を塗装し、さらにまた、紫外線吸収剤で塗装することにより、紫外線から油性塗料が保護され退色防止となる。必要に応じ、油性塗料と紫外線吸収剤から成る層を増やすことで、紫外線からの保護作用は高められる。樹脂により着色部が密閉され、着色部は汗や水や空気から保護され退色防止となる。
【考案を実施するための最良の形態】
【０００８】図１に示す如く、ダイヤモンドの裏側に油性塗料、紫外線吸収剤、油性塗料、紫外線吸収剤が層を成していて、樹脂が油性塗料と紫外線吸収剤の層を覆っている状態。
【実施例】
【０００９】  ラウンドブリリアントカット無色ダイヤモンドのパビリオン側にピンク色の油性塗料を塗装する、その表面に紫外線吸収剤を塗装する、その表面にピンク色の油性塗料を塗装する、その表面に紫外線吸収剤を塗装する、その表面に樹脂を覆うように塗装する。【００１０】  ラウンドブリリアントカット無色ダイヤモンドのパビリオン側にバイオレットの油性塗料を塗装する、その表面に紫外線吸収剤を塗装する、その表面にバイオレットの油性塗料を塗装する、その表面に紫外線吸収剤を塗装する、その表面に樹脂を覆うように塗装する。
【産業上の利用可能性】
【００１１】  本考案は、宝飾品で使用されるダイヤモンドにおいて利用される。
【図面の簡単な説明】
【００１２】
【図１】  ダイヤモンドと油性塗料、紫外線吸収剤、油性塗料、紫外線吸収剤、樹脂を示した断面図である。
【符号の説明】
【００１３】１  ダイヤモンド
２  油性塗料
３  紫外線吸収剤
４  油性塗料
５  紫外線吸収剤
６  樹脂
【図１】
0003133113.tif 000003
【手続補正書】
【提出日】平成19年3月6日(2007.3.6)
【手続補正１】
【補正対象書類名】実用新案登録請求の範囲
【補正対象項目名】全文
【補正方法】変更
【補正の内容】
【実用新案登録請求の範囲】
【請求項１】
ダイヤモンドとピンク色油性塗料と紫外線吸収剤と樹脂から形成されたことを特徴とするピンク色に見えるダイヤモンド。
【請求項２】
構造、組合せとして、ダイヤモンドとダイヤモンド裏側近辺よりピンク色油性塗料、紫外線吸収剤、ピンク色油性塗料、紫外線吸収剤、樹脂の順に並んでいる請求項１に記載のピンク色に見えるダイヤモンド。
【手続補正２】
【補正対象書類名】明細書
【補正対象項目名】全文
【補正方法】変更
【補正の内容】
【考案の詳細な説明】
【技術分野】
【０００１】  宝飾品に使用されるダイヤモンドに関する。
【背景技術】
【０００２】  天然のピンク色ダイヤモンドは、鉱山からほとんど採れない為に供給が極端に少ない。また、人工的に天然ダイヤモンドへ放射線照射して変色させたものがある。しかし、放射線照射で作り出される色はブルーがほとんどであり、ピンク色に見えるダイヤモンドはほとんど供給されていない。
【考案が解決しようとする課題】
【０００３】  従来からのピンク色に見えるダイヤモンドで、ダイヤモンドとダイヤモンド裏側のピンク色油性塗料の組合せから成るピンク色に見えるダイヤモンドがある。しかし、このピンク色に見えるダイヤモンドは、紫外線、汗、水、空気が原因でピンク色が退色してしまう。
【課題を解決するための手段】
【０００４】  ダイヤモンドとダイヤモンド裏側のピンク色油性塗料の組合せに、紫外線吸収剤、ピンク色油性塗料、紫外線吸収剤、樹脂の順に新たに組合せて紫外線、汗、水、空気からピンク色油性塗料を保護する。
【考案の効果】
【０００５】  本考案は紫外線吸収剤が紫外線からピンク色油性塗料を保護することで退色防止し、樹脂が密閉することによりピンク色油性塗料、紫外線吸収剤、ピンク色油性塗料、紫外線吸収剤の組合せを汗、水、空気から保護する。
【考案を実施するための最良の形態】
【０００６】  図１に示す如く、ダイヤモンドの裏側にピンク色油性塗料、紫外線吸収剤、ピンク色油性塗料、紫外線吸収剤、樹脂が順に組合わされていている状態。
【実施例】
【０００７】  ラウンドブリリアントカット無色ダイヤモンド裏側にピンク色油性塗料、紫外線吸収剤、ピンク色油性塗料、紫外線吸収剤が順に塗装され、そのピンク色油性塗料、紫外線吸収剤、ピンク色油性塗料、紫外線吸収剤を覆うように樹脂が塗装されている。ラウンドブリリアントカット無色ダイヤモンド、ピンク色油性塗料、紫外線吸収剤、ピンク色油性塗料、紫外線吸収剤、樹脂の順で組合わされ一体のものと成った状態である。表からラウンドブリリアントカット無色ダイヤモンドを見ると天然のピンク色ダイヤモンドのように見えた。ダイヤモンド裏側は樹脂で密閉されピンク色油性塗料、紫外線吸収剤、ピンク色油性塗料、紫外線吸収剤の組合せが汗、水、空気から保護されるような形状になっていた。ピンク色油性塗料は紫外線吸収剤で守られる構造になっていた。
【産業上の利用可能性】
【０００８】  本考案は、宝飾品で利用される。
【図面の簡単な説明】
【０００９】
【図１】ダイヤモンド、ピンク色油性塗料、紫外線吸収剤、ピンク色油性塗料、紫外線吸収剤、樹脂を示した断面図である。
【符号の説明】
【００１０】１  ダイヤモンド
２  ピンク色油性塗料
３  紫外線吸収剤
４  ピンク色油性塗料
５  紫外線吸収剤
６  樹脂